(57)【要約】  小型薄肉化され、かつ、多極化されたカードに対応することができ、小型低背化及び多極化が可能で信頼性が高くなるようにする。そのため、カードを収容可能な凹部と、凹部の底面を画定する底壁部と、底壁部に形成されたトレイ端子収容凹部とを含むトレイハウジングと、底壁部に配設されたトレイ端子であって、少なくとも一部が底壁部によって保持される本体部と、本体部の両端のそれぞれに接続された第１接触部及び第２接触部であって、コネクタ端子に接触可能な第１接触部及び電極パッドに接触可能な第２接触部とを含むトレイ端子とを備え、第１接触部は、底壁部における凹部の底面と反対側の面に固定されて露出し、第２接触部は、少なくともその接点が凹部の底面から突出した状態で、トレイ端子収容凹部内に弾性変形可能に収容される。
2020170822.tif 000002
【特許請求の範囲】
【請求項１】
（ａ）電極パッドを備えるカードを保持可能、かつ、コネクタ端子を備えるカード用コネクタに挿入可能なカード保持部材であって、
（ｂ）前記カードを収容可能な凹部と、該凹部の底面を画定する底壁部と、該底壁部に形成されたトレイ端子収容凹部とを含むトレイハウジングと、
（ｃ）前記底壁部に配設されたトレイ端子であって、少なくとも一部が前記底壁部によって保持される本体部と、該本体部の両端のそれぞれに接続された第１接触部及び第２接触部であって、前記コネクタ端子に接触可能な第１接触部及び前記電極パッドに接触可能な第２接触部とを含むトレイ端子とを備え、
（ｄ）前記第１接触部は、前記底壁部における前記凹部の底面と反対側の面に固定されて露出し、前記第２接触部は、少なくともその接点が前記凹部の底面から突出した状態で、前記トレイ端子収容凹部内に弾性変形可能に収容されることを特徴とするカード保持部材。
【請求項２】
前記第２接触部は、前記トレイ端子収容凹部内において他の部材と干渉することなく弾性変形可能である請求項１に記載のカード保持部材。
【請求項３】
前記トレイ端子は、平面視において、前記第２接触部が前記カード保持部材の挿入方向と直交する幅方向に沿って並ぶ行を単数又は複数形成するように配設されている請求項１又は２に記載のカード保持部材。
【請求項４】
前記トレイ端子は、平面視において、前記本体部が前記カード保持部材の挿入方向に延在するように配設されている請求項１〜３のいずれか１項に記載のカード保持部材。
【請求項５】
前記トレイ端子は、平面視において、前記本体部が前記カード保持部材の挿入方向に延在するように配設されているトレイ端子と、前記本体部が前記カード保持部材の挿入方向と直交する幅方向に延在するように配設されているトレイ端子とを含む請求項１〜３のいずれか１項に記載のカード保持部材。
【請求項６】
少なくとも１つの前記トレイ端子は、平面視において、前記本体部が前記カード保持部材の挿入方向に延在するように配設される列方向部分と、前記本体部が前記カード保持部材の挿入方向と直交する幅方向に延在するように配設される行方向部分とを含む請求項１〜３のいずれか１項に記載のカード保持部材。
【請求項７】
前記トレイ端子は、前記列方向部分と行方向部分とを接続する傾斜方向部分を更に含む請求項６に記載のカード保持部材。
【請求項８】
（ａ）請求項１〜７のいずれか１項に記載のカード保持部材と、
（ｂ）該カード保持部材を挿入可能なカード用コネクタであって、弾性変形可能、かつ、前記第１接触部に接触可能な接触部を含むコネクタ端子を備えるカード用コネクタと、を備えることを特徴とするカード用コネクタセット。
【請求項９】
前記コネクタ端子は、それぞれが、前記カード保持部材の挿入方向に延在し、かつ、前記接触部が、平面視において、前記カード保持部材の挿入方向と直交する幅方向に沿って並ぶ行を単数又は複数形成するように配設されている請求項８に記載のカード用コネクタセット。
【発明の詳細な説明】
【技術分野】
【０００１】
本開示は、カード保持部材及びカード用コネクタセットに関するものである。
【背景技術】
【０００２】
従来、携帯電話機、スマートフォン等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている。近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用トレイにセットしておき、該カード用トレイを挿入するカード用コネクタが提案されている（例えば、特許文献１参照。）。【０００３】
図１３は従来のカード用コネクタを示す図である。【０００４】
図において、８１１は、表面に図示されない導電性の接続パッドが形成されたカードコネクタの基板であり、８６１は、金属板から成るカードコネクタのシェルであり、前記接続パッドの上方を覆うようにして、前記基板８１１に取付けられ、該基板８１１とシェル８６１との間にカードコネクタのカード収容空間８１８が形成される。また、９７１は、カード用トレイであり、カード９０１が内部に装填された状態で、矢印で示されるようにして前記カード収容空間８１８の入口側から挿入され、カードコネクタに収容される。【０００５】
なお、前記カード用トレイ９７１の底板には、複数の導電性部材９５１が取付けられており、前記カード９０１がカード用トレイ９７１に装填されると、前記カード９０１の下面に露出して形成された複数の電極パッドの各々が対応する導電性部材９５１の上面に接触する。そして、前記カード用トレイ９７１がカード収容空間８１８内に収容された状態では、各導電性部材９５１の先端の下面が基板８１１の表面に形成された接続パッドに接触し、これにより、カード９０１の電極パッドと対応するカードコネクタの接続パッドとが導電性部材９５１を介して接続される。【０００６】
このように、カード９０１は、カード用トレイ９７１に装填された状態でカード収容空間８１８内に挿入されて収容されるので、該カード収容空間８１８内に挿入される際に、カード９０１がカード収容空間８１８の入口部分に接触することがなく、電極パッド等が損傷することがない。また、カード９０１の電極パッドと対応する接続パッドとが弾性を有する導電性部材９５１を介して接続されるので、電極パッドと接続パッドとの導通状態が安定する。
【先行技術文献】
【特許文献】
【０００７】
【特許文献１】特開２０１５−２１９９８８号公報
【発明の概要】
【発明が解決しようとする課題】
【０００８】
しかしながら、前記従来のカード用コネクタにおいては、カード用トレイ９７１の底板に取付けられた導電性部材９５１が弾性的に変形することによって、カード９０１の電極パッドとの接触を維持するとともに、カードコネクタの接続パッドとの接触を維持するようになっているので、導電性部材９５１の弾性変形可能範囲を大きくする必要があり、該導電性部材９５１の小型化が困難であり、その結果、カード用トレイ９７１の小型化が困難になり、該カード用トレイ９７１を収容するカードコネクタの小型化も困難になってしまう。【０００９】
ここでは、前記従来の問題点を解決して、小型薄肉化され、かつ、多極化されたカードに対応することができ、小型低背化及び多極化が可能な信頼性の高いカード保持部材及びカード用コネクタセットを提供することを目的とする。
【課題を解決するための手段】
【００１０】
そのために、カード保持部材においては、電極パッドを備えるカードを保持可能、かつ、コネクタ端子を備えるカード用コネクタに挿入可能なカード保持部材であって、前記カードを収容可能な凹部と、該凹部の底面を画定する底壁部と、該底壁部に形成されたトレイ端子収容凹部とを含むトレイハウジングと、前記底壁部に配設されたトレイ端子であって、少なくとも一部が前記底壁部によって保持される本体部と、該本体部の両端のそれぞれに接続された第１接触部及び第２接触部であって、前記コネクタ端子に接触可能な第１接触部及び前記電極パッドに接触可能な第２接触部とを含むトレイ端子とを備え、前記第１接触部は、前記底壁部における前記凹部の底面と反対側の面に固定されて露出し、前記第２接触部は、少なくともその接点が前記凹部の底面から突出した状態で、前記トレイ端子収容凹部内に弾性変形可能に収容される。【００１１】
他のカード保持部材においては、さらに、前記第２接触部は、前記トレイ端子収容凹部内において他の部材と干渉することなく弾性変形可能である。【００１２】
更に他のカード保持部材においては、さらに、前記トレイ端子は、平面視において、前記第２接触部が前記カード保持部材の挿入方向と直交する幅方向に沿って並ぶ行を単数又は複数形成するように配設されている。【００１３】
更に他のカード保持部材においては、さらに、前記トレイ端子は、平面視において、前記本体部が前記カード保持部材の挿入方向に延在するように配設されている。【００１４】
更に他のカード保持部材においては、さらに、前記トレイ端子は、平面視において、前記本体部が前記カード保持部材の挿入方向に延在するように配設されているトレイ端子と、前記本体部が前記カード保持部材の挿入方向と直交する幅方向に延在するように配設されているトレイ端子とを含む。【００１５】
更に他のカード保持部材においては、さらに、少なくとも１つの前記トレイ端子は、平面視において、前記本体部が前記カード保持部材の挿入方向に延在するように配設される列方向部分と、前記本体部が前記カード保持部材の挿入方向と直交する幅方向に延在するように配設される行方向部分とを含む。【００１６】
更に他のカード保持部材においては、さらに、前記トレイ端子は、前記列方向部分と行方向部分とを接続する傾斜方向部分を更に含む。【００１７】
カード用コネクタセットにおいては、本開示のカード保持部材と、該カード保持部材を挿入可能なカード用コネクタであって、弾性変形可能、かつ、前記第１接触部に接触可能な接触部を含むコネクタ端子を備えるカード用コネクタと、を備える。【００１８】
他のカード用コネクタセットにおいては、さらに、前記コネクタ端子は、それぞれが、前記カード保持部材の挿入方向に延在し、かつ、前記接触部が、平面視において、前記カード保持部材の挿入方向と直交する幅方向に沿って並ぶ行を単数又は複数形成するように配設されている。
【発明の効果】
【００１９】
カード保持部材及びカード用コネクタセットは、小型薄肉化され、かつ、多極化されたカードに対応することができ、小型低背化及び多極化が可能で、信頼性を向上させることができる。
【図面の簡単な説明】
【００２０】
【図１】第１の実施の形態におけるコネクタにカードを保持するトレイが挿入されたカード用コネクタセットを示す斜視図である。
【図２】第１の実施の形態におけるカード用コネクタセットの分解図である。
【図３】第１の実施の形態におけるコネクタにカードを保持しないトレイが挿入されたカード用コネクタセットのコネクタカバーを取外した状態の斜視図である。
【図４】第１の実施の形態におけるコネクタのコネクタカバー以外の部分の分解図である。
【図５】第１の実施の形態におけるコネクタにカードを保持するトレイが挿入されたカード用コネクタセットの二面図であって、（ａ）は上面図であり、（ｂ）は（ａ）におけるＡ−Ａ矢視断面図である。
【図６】第１の実施の形態におけるコネクタにカードを保持するトレイが挿入されたカード用コネクタセットのコネクタカバーを取外した状態の二面図であって、（ａ）は上面図であり、（ｂ）は（ａ）におけるＡ−Ａ矢視断面図である。
【図７】第１の実施の形態におけるコネクタにカードを保持するトレイが挿入されたカード用コネクタセットの断面斜視図である。
【図８】第２の実施の形態におけるコネクタにカードを保持しないトレイが挿入されたカード用コネクタセットのコネクタカバーを取外した状態の斜視図である。
【図９】第２の実施の形態におけるカードの下面図である。
【図１０】第２の実施の形態におけるトレイの分解図である。
【図１１】第２の実施の形態におけるトレイ端子の配置を示す上面図である。
【図１２】第２の実施の形態におけるコネクタにトレイが挿入されたカード用コネクタセットのコネクタカバーを取外した状態の二面図であって、（ａ）はカードを保持しない状態の上面図であり、（ｂ）は（ａ）におけるＢ−Ｂ矢視断面図であってカードを保持した状態を示す図であり、（ｃ）は（ａ）におけるＣ−Ｃ矢視断面図であってカードを保持した状態を示す図である。
【図１３】従来のカード用コネクタを示す図である。
【発明を実施するための形態】
【００２１】
以下、実施の形態について図面を参照しながら詳細に説明する。
【００２２】
図１は第１の実施の形態におけるコネクタにカードを保持するトレイが挿入されたカード用コネクタセットを示す斜視図、図２は第１の実施の形態におけるカード用コネクタセットの分解図、図３は第１の実施の形態におけるコネクタにカードを保持しないトレイが挿入されたカード用コネクタセットのコネクタカバーを取外した状態の斜視図、図４は第１の実施の形態におけるコネクタのコネクタカバー以外の部分の分解図、図５は第１の実施の形態におけるコネクタにカードを保持するトレイが挿入されたカード用コネクタセットの二面図、図６は第１の実施の形態におけるコネクタにカードを保持するトレイが挿入されたカード用コネクタセットのコネクタカバーを取外した状態の二面図、図７は第１の実施の形態におけるコネクタにカードを保持するトレイが挿入されたカード用コネクタセットの断面斜視図である。なお、図５及び６において、（ａ）は上面図であり、（ｂ）は（ａ）におけるＡ−Ａ矢視断面図である。
【００２３】
図において、１７０は本実施の形態におけるカード保持部材としてのトレイであり、カード１０１を収容した状態で、図示されない電子機器の回路基板に実装されたカード用コネクタとしてのコネクタ１に挿入される。これにより、前記カード１０１は、トレイ１７０及びコネクタ１を介して、電子機器に装着される。
【００２４】
ここでは、カード用コネクタセットは、カード１０１が電気的に接続されるトレイ１７０と、該トレイ１７０が電子機器の回路基板の平面方向と同一方向に挿入され、トレイ１７０と電気的に接続されるコネクタ１とを備えるものであって、カード用コネクタセットを介して、カード１０１と電子機器とを接続させるために使用されるものである、として説明する。
【００２５】
なお、本実施の形態において、カード１０１は、例えば、ＳＩＭカード、マイクロＳＩＭカード、ナノＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカード自体であってもよいし、また、例えば、ｍｉｎｉＳＤ（Ｒ）カードを内部に収容したＳＤ（Ｒ）カード型アダプタのように、コネクタ１に挿入するのに適した形状及び寸法を備え、内部にメモリカードを収容したカード用アダプタであってもよい。
【００２６】
さらに、前記電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。また、前記電子機器の回路基板は、電子機器等に使用されるプリント配線基板（Ｐｒｉｎｔｅｄ  Ｃｉｒｃｕｉｔ  Ｂｏａｒｄ）、フレキシブルフラットケーブル（Ｆｌｅｘｂｌｅ  Ｆｌａｔ  Ｃａｂｌｅ）、フレキシブルプリント配線板（Ｆｌｅｘｂｌｅ  Ｐｒｉｎｔｅｄ  Ｃｉｒｃｕｉｔ）等であるが、いかなる種類の回路基板であってもよい。
【００２７】
なお、本実施の形態において、トレイ１７０及びコネクタ１の各部の構成及び動作を説明するために使用される上、下、右、左、前、後等の方向を示す表現は、絶対的なものではなく相対的なものであり、トレイ１７０及びコネクタ１が図に示される姿勢である場合に適切であるが、トレイ１７０及びコネクタ１の姿勢が変化した場合には、その姿勢の変化に応じて変更して解釈されるべきものである。
【００２８】
前記トレイ１７０について説明する。
【００２９】
図に示されるように、トレイ１７０は、カード１０１を装着可能な凹部１７６を備えるトレイハウジング１７１と、前記凹部１７６内にカード１０１の下面（電極パッド面）に露出する電極パッド１２１と接続可能な複数のトレイ端子１５１とを備える。なお、前記トレイハウジング１７１は、絶縁性材料から成る一体的に成形された部材であり、各トレイ端子１５１は、導電性の金属板に打抜き、曲げ等の加工を施して一体的に成形された部材である。前記トレイ端子１５１は、例えば、インサート成形（オーバーモールド成形）等の成形方法によって、トレイハウジング１７１と一体化されていることが望ましい。
【００３０】
図に示される例においては、凹部１７６がトレイハウジング１７１の幅方向（Ｙ軸方向）に２つ並んで配置されているが、前記凹部１７６は、必ずしも２つである必要はなく、１つであってもよいし、３つ以上であってもよい。また、前記凹部１７６は、必ずしもトレイハウジング１７１の幅方向に並ぶ必要はなく、トレイハウジング１７１の前後方向（トレイ１７０の挿入及び排出方向、すなわちＸ軸方向）に並んでいてもよい。さらに、複数の凹部１７６は、必ずしも互いに同一の大きさ及び形状である必要はなく、相違する大きさ及び形状であってもよい。なお、ここでは、説明の都合上、図に示される例のように、互いに同一の大きさ及び形状である２つの凹部１７６がトレイハウジング１７１の幅方向に並んで配置されている場合について、説明する。
【００３１】
また、前記トレイハウジング１７１は、幅方向に延在する基部１７２と、該基部１７２の前方に接続された枠部１７３とを含んでいる。そして、該枠部１７３は、凹部１７６の前端縁を画定する前枠部１７３ａと、凹部１７６の後端縁を画定する後枠部１７３ｂと、凹部１７６の側端縁を画定する側枠部１７３ｃとを含んでいる。前記前枠部１７３ａは、トレイハウジング１７１の前端において幅方向に延在する細長い部分であり、その前端面は、トレイハウジング１７１の前端面１７１ｆとなっている。また、前記後枠部１７３ｂは、基部１７２と一体化し、前枠部１７３ａと平行に、幅方向に延在する細長い部分である。さらに、前記側枠部１７３ｃは、複数であって、互いに平行に、前後方向に延在する細長い部分であり、その前後端が前枠部１７３ａ及び後枠部１７３ｂに連結されている。前記基部１７２の幅方向の一端（図５（ａ）における右端）には、幅方向外側に突出したフランジ部１７２ａが形成され、該フランジ部１７２ａには、操作用挿通孔１７２ｂが前後方向に貫通するように形成されていることが望ましい。また、前記基部１７２の後端面は、トレイハウジング１７１の後端面１７１ｒとなっている。
【００３２】
図に示される例において、前記凹部１７６は、平面視における形状が前後方向の寸法が幅方向の寸法よりも大きな略長方形である凹入した部分であり、その底面は平板状の底壁部１７７によって閉止され、その上面が開放されている。なお、長方形の１つの角に相当する部分には、凹部１７６へのカード１０１の誤装着を防止するため、カード１０１の長方形の１つの角に相当する部分に形成された切欠部１０１ｃに対応するように、平面視における形状が斜めの極性付与凸部１７６ｃが形成されていることが望ましい。また、前記凹部１７６は、カード１０１を収容可能な収容空間であるという性質上、その平面視における大きさ及び形状は、カード１０１の平面視における大きさ及び形状と同様であり、その深さ（Ｚ軸方向の寸法）はカード１０１の厚さ（Ｚ軸方向の寸法）とほぼ同様である。
【００３３】
そして、前記前枠部１７３ａ、後枠部１７３ｂ及び側枠部１７３ｃが凹部１７６の側壁部として機能し、凹部１７６に収容されたカード１０１の側面と対向する。なお、前記側壁部の一部は、図３に示されるように、収容されたカード１０１の落下乃至脱落を防止するための保持部１６１を備えていてもよい。該保持部１６１は、弾性変形が可能な部位であって、その一部が収容空間である凹部１７６内に突出し、収容されたカード１０１の側面を付勢して、カード１０１を保持するようになっている。なお、前記保持部１６１は、このような構成に限定されるものでなく、カード１０１が落下乃至脱落することなく凹部１７６内に保持されるものであれば、いかなる構成のものであってもよい。
【００３４】
また、前記底壁部１７７には、複数のトレイ端子収容凹部１７８が形成され、各トレイ端子収容凹部１７８内には、トレイ端子１５１が１つずつ配設され、その第２接触部１５４が収容されている。前記トレイ端子収容凹部１７８は、必ずしも貫通孔である必要はないが、ここでは、底壁部１７７を板厚方向乃至上下方向（Ｚ軸方向）に貫通する貫通孔であるものとして説明する。また、必ずしもすべてのトレイ端子収容凹部１７８内にトレイ端子１５１が配設されている必要はないが、ここでは、すべてのトレイ端子収容凹部１７８内にトレイ端子１５１が１つずつ配設されているものとして説明する。前記トレイ端子収容凹部１７８及びトレイ端子１５１は、凹部１７６内に収容されるカード１０１の下面における電極パッド１２１の配置と対応するように配置され、図に示される例においては、幅方向に沿って並ぶ行が前後に２本形成されるように配置されている。また、各トレイ端子収容凹部１７８内には、トレイ端子１５１を保持する端子保持部１７７ａが配設されている。該端子保持部１７７ａは、トレイ端子収容凹部１７８を幅方向に横断するように形成されている。
【００３５】
前記トレイ端子１５１は、導電性の金属板に打抜き、曲げ等の加工を施して形成された部材であり、本体部１５３と、該本体部１５３の一端に接続された第１接触部１５２と、前記本体部１５３の他端に接続された第２接触部１５４とを備える。
【００３６】
前記本体部１５３は、側面視においてクランク状に屈曲した屈曲部１５３ａを含み、少なくとも一部が端子保持部１７７ａ内に埋設された状態で該端子保持部１７７ａによって保持される。
【００３７】
また、前記第１接触部１５２は、前記屈曲部１５３ａの下端に接続された平板状の部分であり、その下面が底壁部１７７（図に示される例においては、端子保持部１７７ａ）の下面に固定されて露出し、コネクタ１のコネクタ端子５１と接触して電気的に導通可能となっている。図に示されるように、第１接触部１５２の下面は底壁部１７７の下面と、略同一平面上に位置している、すなわち、面一となっていることが望ましい。これにより、トレイ１７０がコネクタ１に挿入される際に、トレイ１７０がコネクタ１に引掛ることなく、スムーズにトレイ１７０がコネクタ１に挿入され得る。もっとも、第１接触部１５２の下面は、少なくともその一部が底壁部１７７の下面に露出してさえいれば、必ずしも底壁部１７７の下面と、略同一平面上に位置していなくてもよい。すなわち、第１接触部１５２の下面及び底壁部１７７の下面の一方の他方に対する突出量が、トレイ１７０がコネクタ１に挿入される際の作業効率を低下させない程度であれば、第１接触部１５２の下面及び底壁部１７７の下面は同一平面上に位置していなくてもよい。なお、図に示される例において、第１接触部１５２は、弾性変形しないようになっているが、弾性変形し得る形状に形成されたものであってよい。
【００３８】
前記第２接触部１５４は、側面視において略Ｓ字状の形状を有し、それぞれ約１８０度湾曲した第１湾曲部１５４ａ及び第２湾曲部１５４ｂと、該第２湾曲部１５４ｂに接続された先端部分であって、カード１０１の下面における電極パッド１２１に接触して電気的に導通可能となる接点として機能する接点部１５４ｃとを有する。また、前記第２接触部１５４における本体部１５３との接続部分から接点部１５４ｃまでの範囲は、第１湾曲部１５４ａ及び第２湾曲部１５４ｂを含み、弾性変形可能な弾性変形部１５４ｄである。少なくとも接点部１５４ｃが凹部１７６の底面から突出した状態となっていて、前記接点部１５４ｃがカード１０１の電極パッド１２１によって押圧されると、弾性変形部１５４ｄが弾性変形し、接点部１５４ｃと前記電極パッド１２１とを弾性的に接触させることができる。また、前記弾性変形部１５４ｄは、底壁部１７７のトレイ端子収容凹部１７８内に位置しており、弾性変形しても他の部材や部位に接触することがない。そのため、カード１０１の電極パッド１２１に過剰な弾性力を付加することがなく、該電極パッド１２１を損傷させたり、破損させたりすることがない。
【００３９】
次に、前記コネクタ１について説明する。
【００４０】
図に示されるように、コネクタ１は、トレイ１７０を収容する凹部１２を備えるハウジング１１と、該ハウジング１１を覆うコネクタカバー６１と、トレイ端子１５１と接続可能なコネクタ端子５１と、コネクタ１に挿入されたトレイ１７０を排出するための排出機構２０とを備える。
【００４１】
前記ハウジング１１は、絶縁性材料から成る一体的に成形された部材であり、略矩形の平板状の端子保持部としての底壁部１１ｂと、ハウジング１１におけるトレイ１７０の挿入方向（Ｘ軸方向）前方の前端部に沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｄと、一方（図に示される例において、トレイ１７０の挿入方向右側）の側壁部１１ｄと一体的に形成されたプッシュロッド保持部１１ｇとを含んでいる。なお、該プッシュロッド保持部１１ｇには、前記挿入方向に延在するプッシュロッド収容溝１１ｈが形成されている。また、他方（図に示される例において、トレイ１７０の挿入方向左側）の側壁部１１ｄには、凹部１２に収容されたトレイ１７０の落下乃至脱落を防止するための保持部７５を備えていてもよい。該保持部７５は、弾性変形が可能な部位であって、その一部が収容空間である凹部１２内に突出し、収容されたトレイ１７０の側面を付勢して、トレイ１７０を保持するようになっている。なお、前記保持部７５は、このような構成に限定されるものでなく、トレイ１７０が落下乃至脱落することなく凹部１２内に保持されるものであれば、いかなる構成のものであってもよい。また、トレイ１７０が、例えば、コネクタ端子５１の弾力等の他の手段によって、凹部１２内に保持される場合には、前記保持部７５を備えなくてもよい。
【００４２】
前記奥壁部１１ａ、側壁部１１ｄ及びプッシュロッド保持部１１ｇは、その下面が底壁部１１ｂの下面と面一であり、その上面が底壁部１１ｂの上面よりも上方に位置する。なお、ハウジング１１における前記挿入方向前方の端面は前端面１１ｆと称し、前記挿入方向後方の端面は、後端面１１ｒと称する。
【００４３】
また、前記底壁部１１ｂには、複数のコネクタ端子収容凹部１１ｋが形成され、各コネクタ端子収容凹部１１ｋ内には、コネクタ端子５１が１つずつ収容されている。前記コネクタ端子収容凹部１１ｋは、必ずしも貫通孔である必要はないが、ここでは、底壁部１１ｂを板厚方向乃至上下方向（Ｚ軸方向）に貫通する貫通孔であるものとして説明する。また、必ずしもすべてのコネクタ端子収容凹部１１ｋ内にコネクタ端子５１が収容されている必要はない。前記コネクタ端子収容凹部１１ｋ及びコネクタ端子５１は、凹部１２内に収容されるトレイ１７０の底壁部１７７の下面に露出するトレイ端子１５１の第１接触部１５２の配置と対応するように配置され、図に示される例においては、複数のコネクタ端子５１が幅方向に沿って並ぶ行が前後に２本形成されるように配置されている。また、各コネクタ端子収容凹部１１ｋ内には、コネクタ端子５１の先端部５５を支持する端子支持部１１ｊが配設されている。該端子支持部１１ｊは、コネクタ端子収容凹部１１ｋ内の長手方向の一端に配設されている。
【００４４】
前記コネクタ端子５１は、金属板に打抜き、曲げ等の加工を施して形成された部材であり、本体部５３と、該本体部５３の一端に接続された接続部５２と、前記本体部５３の他端に接続された接触部５４と、該接触部５４の先端に接続された先端部５５とを備える。なお、前記コネクタ端子５１は、例えば、インサート成形（オーバーモールド成形）等の成形方法によって、ハウジング１１と一体化されていることが望ましい。
【００４５】
前記本体部５３は、側面視においてクランク状に屈曲した屈曲部５３ａを含み、少なくとも一部が底壁部１１ｂ内に埋設された状態で該底壁部１１ｂによって保持される。
【００４６】
また、前記接続部５２は、前記屈曲部５３ａの下端に接続された平板状の部分であり、その下面が底壁部１１ｂの下面に露出し、電子機器の回路基板の上面に露出する接続パッドに、はんだ付等の接続手段によって接続され、電気的に導通可能となっている。なお、図に示される例において、接続部５２の下面は底壁部１１ｂの下面と、略同一平面上に位置している、すなわち、面一となっているが、接続部５２の下面及び底壁部１１ｂの下面は、必ずしも略同一平面上に位置する必要はなく、例えば、接続部５２の下面が底壁部１１ｂの下面より下方に位置していてもよい。
【００４７】
前記接触部５４は、側面視において上方に膨出するように湾曲した形状を有し、弾性変形可能になっている。そして、前記接触部５４の頂上部分は、底壁部１１ｂの上面よりも上方に位置し、凹部１２内に収容されるトレイ１７０の底壁部１７７の下面に露出するトレイ端子１５１の第１接触部１５２と接触可能となっている。前記接触部５４は、トレイ端子１５１の第１接触部１５２によって押圧されると、弾性変形するので、前記第１接触部１５２と弾性的に接触することができる。また、前記接触部５４は、コネクタ端子収容凹部１１ｋ内に位置しており、弾性変形しても他の部材や部位に接触することがない。
【００４８】
そして、接触部５４の先端に接続された先端部５５は、平板状であり、その下面が端子支持部１１ｊの上面に当接し、該端子支持部１１ｊによって下方から支えられている。これにより、接触部５４は、長手方向両端で支持された板ばねとして機能するので、その弾性力が向上し、前記第１接触部１５２との接触状態が安定的に維持される。なお、例えば、接触部５４の弾性力が十分に大きいような場合には、先端部５５の下面は、必ずしも、端子支持部１１ｊの上面に当接する必要はない。
【００４９】
前記排出機構２０は、排出梃子部材としてのイジェクトレバー２１と、排出操作部材としてのプッシュロッド２２とを備える。
【００５０】
該プッシュロッド２２は、概略直線的な棒状又は帯板状の部材であり、プッシュロッド保持部１１ｇのプッシュロッド収容溝１１ｈ内に前後方向（トレイ１７０の挿入及び排出方向）にスライド可能に取付けられている。そして、前記プッシュロッド２２の後端部には、屈曲した操作部２２ａが一体的に接続されている。また、前記プッシュロッド２２の前端部には、イジェクトレバー２１の力点部２１ｂと係合する係合部２２ｂが形成されている。なお、トレイ１７０が凹部１２に収容された状態において、トレイハウジング１７１のフランジ部１７２ａに形成された操作用挿通孔１７２ｂは、前記プッシュロッド２２の操作部２２ａに対向するので、前記操作用挿通孔１７２ｂに図示されない細い棒状の操作部材を挿通させて前記操作部２２ａを前方に押すことができる。
【００５１】
前記イジェクトレバー２１は、その支点部２１ｃにおいて奥壁部１１ａに形成された支軸１１ｃに枢動可能に取付けられている。そして、イジェクトレバー２１における前記支点部２１ｃを挟んで力点部２１ｂと反対側の端部は、凹部１２に収容されたトレイ１７０のトレイハウジング１７１における前端面１７１ｆに当接して、トレイ１７０に排出方向の力を付与する作用点部２１ａとして機能する。したがって、前記操作用挿通孔１７２ｂに挿通された操作部材から、前記操作部２２ａに対して前方に向けた押圧力が付与されると、プッシュロッド２２から力点部２１ｂに前方に向けた押圧力が伝達され、その結果、作用点部２１ａからトレイハウジング１７１に排出方向の力が付与され、トレイ１７０が凹部１２から後方に向けて排出される。
【００５２】
前記コネクタカバー６１は、ハウジング１１の上面を覆う部材であって、望ましくは、導電性の金属板に打抜き、曲げ等の加工を施して形成された部材であり、平板状の天板部６２と、該天板部６２の前端縁から立設する前板部６３ａと、前記天板部６２の左右一対の側端縁から立設する側板部６３ｂとを有する。そして、前記コネクタカバー６１がハウジング１１に取付けられると、前記天板部６２が底壁部１１ｂと平行に延在して凹部１２の上方を覆い、該凹部１２と天板部６２とによって周囲を画定された空間がトレイ１７０を収容する収容空間として形成される。また、前記前板部６３ａはハウジング１１の前端面１１ｆの外面を覆い、側板部６３ｂは側壁部１１ｄの外面を覆い、その下端が、電子機器の回路基板の上面に露出する接続パッドに、はんだ付等の接続手段によって接続される。なお、ハウジング１１の後端面１１ｒの外側は、コネクタカバー６１によって覆われずに開放されているので、コネクタ１の後端面が開口となり、トレイ１７０の挿入口として機能する。また、前記コネクタカバー６１は、金属製でなくてもよいが、その場合、カード１０１や電子機器等から発生するノイズを抑制する効果をコネクタカバー６１に期待することはできない。
【００５３】
次に、前記構成のカード用コネクタセットの動作について説明する。まず、トレイ１７０をコネクタ１に挿入する場合の動作について説明する。
【００５４】
ここで、コネクタ１は、コネクタ端子５１の接続部５２等が電子機器の回路基板の接続パッドにはんだ付等の接続手段で電気的に接続されることによって、前記回路基板に実装されているものとする。
【００５５】
まず、作業者は、トレイ１７０の凹部１７６の形状に合せてカード１０１を前記凹部１７６に収容する。具体的には、図６（ａ）に示されるように、カード１０１の切欠部１０１ｃが凹部１７６の極性付与凸部１７６ｃに対応するようにカード１０１の姿勢を制御して、前記凹部１７６内に載置する。これにより、カード１０１は適切な姿勢、すなわち、その下面が底壁部１７７に対向し、前記下面における電極パッド１２１のそれぞれが対応するトレイ端子１５１に対応した姿勢で、凹部１７６に収容される。この際、トレイ１７０が保持部１６１を有する場合、カード１０１は、トレイ１７０のハウジング１７１の枠部１７３に対して付勢されるので、凹部１７６から落下乃至脱落してしまうことがない。また、この状態では、カード１０１の下面における電極パッド１２１は、トレイ端子１５１からの弾性力を受けておらず、カード１０１の自重程度の力でトレイ端子１５１の第２接触部１５４に接触している状態となっている。
【００５６】
次に、作業者は、コネクタ１のハウジング１１とコネクタカバー６１によって形成されたトレイ１７０の挿入口に向けて前記トレイ１７０を挿入方向に移動させながら、トレイ１７０をコネクタ１の収容空間内における所定位置まで挿入し、挿入を完了させる。この状態では、トレイ端子１５１の弾性力が、カード１０１の電極パッド１２１に作用する。すなわち、カード１０１の上面（電極パッド１２１が形成されていない面）は、コネクタカバー６１の天板部６２と少なくとも一部が当接することによって上方への移動が阻止されるため、トレイ端子１５１は、確実にカード１０１の電極パッド１２１に弾性力を付加することができる。より詳細には、図７に示されるように、トレイ端子１５１の第２接触部１５４における弾性変形部１５４ｄが弾性変形し、これによって発生する弾性力により、前記第２接触部１５４における接点部１５４ｃが電極パッド１２１に押圧される。前記第２接触部１５４は、側面視において略Ｓ字状の形状であって、十分な長さのばね長を有するので、その自由端に位置する接点部１５４ｃの弾性的な可動範囲が十分に大きく、かつ、十分に大きな弾性力を発揮することができる。
【００５７】
また、同様に、トレイ１７０の上面もコネクタカバー６１の天板部６２と当接することにより上方への移動が阻止されるため、コネクタ端子５１は、確実にトレイ端子１５１の第１接触部１５２に弾性力を付加することができる。より詳細には、図７に示されるように、コネクタ端子５１の接触部５４が弾性変形し、これによって発生する弾性力により、上方に膨出するように湾曲した形状の接触部５４における頂上部分がトレイ端子１５１の第１接触部１５２に押圧される。前記接触部５４は、長手方向両端で支持された板ばねとして機能するので、前記頂上部分の弾性的な可動範囲が十分に大きく、かつ、十分に大きな弾性力を発揮することができる。
【００５８】
このように、トレイ端子１５１及びコネクタ端子５１のそれぞれが発揮する弾性力が付加された状態で接続されているので、カード１０１の電極パッド１２１と回路基板の接続パッドとは、カード用コネクタセットのトレイ１７０及びコネクタ１を介して、確実に、かつ、安定的に電気的に接続される。
【００５９】
次に、トレイ１７０をコネクタ１から排出する場合の動作について説明する。
【００６０】
まず、作業者は、ピン、ロッド等の図示されない細い棒状の操作部材を、トレイ１７０の後方から、トレイハウジング１７１のフランジ部１７２ａに形成された操作用挿通孔１７２ｂに挿通させ、前記操作部材の先端をプッシュロッド２２の操作部２２ａに当接させる。そして、作業者が操作部材を介してプッシュロッド２２を前方に向けて押込むと、該プッシュロッド２２の係合部２２ｂと係合するイジェクトレバー２１の力点部２１ｂが前方に変位する。そのため、イジェクトレバー２１の作用点部２１ａにトレイハウジング１７１の前端面１７１ｆが押されて、トレイ１７０は、前記所定位置からハウジング５１の後端面１１ｒの方向（排出方向）に向けて変位する。このとき、保持部７５がトレイ１７０の側面を付勢して該トレイ１７０を保持しているが、作業者が操作部材を介してプッシュロッド２２を押込む力は、十分に大きいと考えられるので、保持部７５によるトレイ１７０の保持は容易に解消され、トレイ１７０は、ハウジング５１の後端面１１ｒの方向に向けて移動し、コネクタ１から排出される。そして、作業者は、排出されたトレイ１７０をコネクタ１から容易に取出すことができる。なお、排出機構２０は、本実施の形態に限られることはなく、プッシュ−プッシュ方式やトレイ１７０を手指でつまみ引出す方式等の公知の機構であってもよく、トレイ１７０が排出可能な機構であれば、いかなるものであってもよい。
【００６１】
このように、本実施の形態におけるトレイ１７０及びカード用コネクタセットは、カード１０１をトレイ１７０に収容した状態で、カード１０１と図示されない回路基板とを電気的に接続することができる。そのため、カード１０１の電極パッド１２１は、コネクタ端子５１と摺動することがなく、コネクタ端子５１と電気的に接続することができ、また、カード１０１の電極パッド１２１の損傷や破損を防止することができる。
【００６２】
なお、本実施の形態において、トレイ１７０は、２つの凹部１２、すなわち、２つのカード１０１の収容空間を備えるが、凹部１２の数は、１つ又は３つ以上でもよく、いかなる数であってもよい。また、複数のトレイ端子１５１又は複数のコネクタ端子５１は、トレイハウジング１７１の底壁部１７７又はハウジング１１の底壁部１１ｂに、２本の行を形成するように配置されているが、トレイ端子１５１又はコネクタ端子５１の行の数は、１行又は３行以上でもよく、いかなる数であってもよい。さらに、トレイ端子１５１又はコネクタ端子５１の１行目と２行目とに保持された各トレイ端子１５１又は各コネクタ端子５１は、その向きが挿入及び排出方向（前後方向）に関して反対向きとなるように配置されているが、同一方向に向くように配置されていてもよいし、いかなる方向に配置されていてもよい。
【００６３】
このように、本実施の形態において、トレイ１７０は、電極パッド１２１を備えるカード１０１を保持可能、かつ、コネクタ端子５１を備えるコネクタ１に挿入可能である。そして、トレイ１７０は、カード１０１を収容可能な凹部１７６と、凹部１７６の底面を画定する底壁部１７７と、底壁部１７７に形成されたトレイ端子収容凹部１７８とを含むトレイハウジング１７１と、底壁部１７７に配設されたトレイ端子１５１であって、少なくとも一部が底壁部１７７によって保持される本体部１５３と、本体部１５３の両端のそれぞれに接続された第１接触部１５２及び第２接触部１５４であって、コネクタ端子５１に接触可能な第１接触部１５２及び電極パッド１２１に接触可能な第２接触部１５４とを含むトレイ端子１５１とを備え、第１接触部１５２は、底壁部１７７における凹部１７６の底面と反対側の面に固定されて露出し、第２接触部１５４は、少なくともその接点部１５４ｃが凹部１７６の底面から突出した状態で、トレイ端子収容凹部１７８内に弾性変形可能に収容される。
【００６４】
また、カード用コネクタセットは、トレイ１７０と、トレイ１７０を挿入可能なコネクタ１であって、弾性変形可能、かつ、第１接触部１５２に接触可能な接触部５４を含むコネクタ端子５１を備えるコネクタ１と、を備える。
【００６５】
したがって、トレイハウジング１７１に保持されたトレイ端子１５１においては、コネクタ１のコネクタ端子５１に接触可能な第１接触部１５２が固定され、カード１０１の電極パッド１２１に接触可能な第２接触部１５４のみが弾性変形可能となっているので、第２接触部１５４の弾性変形範囲を大きくしても、トレイハウジング１７１の厚さ（上下方向の寸法）を抑制することが可能となり、トレイ１７０を小型薄肉化することができ、その結果、カード用コネクタセット全体を小型薄肉化することができ、しかも、多極化されて多数の電極パッド１２１を備えるカード１０１にも対応することができるので、小型低背化及び多極化が可能で信頼性の高いトレイ１７０及びカード用コネクタセットを提供することができる。
【００６６】
また、第２接触部１５４は、トレイ端子収容凹部１７８内において他の部材と干渉することなく弾性変形可能である。さらに、トレイ端子１５１は、平面視において、第２接触部１５４がトレイ１７０の挿入方向と直交する幅方向に沿って並ぶ行を単数又は複数形成するように配設されている。さらに、トレイ端子１５１は、平面視において、本体部１５３がトレイ１７０の挿入方向に延在するように配設されている。さらに、コネクタ端子５１は、それぞれが、トレイ１７０の挿入方向に延在し、かつ、接触部５４が、平面視において、トレイ１７０の挿入方向と直交する幅方向に沿って並ぶ行を単数又は複数形成するように配設されている。
【００６７】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６８】
図８は第２の実施の形態におけるコネクタにカードを保持しないトレイが挿入されたカード用コネクタセットのコネクタカバーを取外した状態の斜視図、図９は第２の実施の形態におけるカードの下面図、図１０は第２の実施の形態におけるトレイの分解図、図１１は第２の実施の形態におけるトレイ端子の配置を示す上面図、図１２は第２の実施の形態におけるコネクタにトレイが挿入されたカード用コネクタセットのコネクタカバーを取外した状態の二面図である。なお、図１２において、（ａ）はカードを保持しない状態の上面図であり、（ｂ）は（ａ）におけるＢ−Ｂ矢視断面図であってカードを保持した状態を示す図であり、（ｃ）は（ａ）におけるＣ−Ｃ矢視断面図であってカードを保持した状態を示す図である。
【００６９】
図９に示されるように、本実施の形態におけるカード１０１の電極パッド１２１は、複数種類の形状及び大きさのものを含み、平面視において、複数本の行及び複数本の列を構成するように配置されている。図９に示される例において、前記電極パッド１２１は、第１〜第５行（Ｌｉｎｅ１〜５）の５本の行、及び、第１〜第５列（Ｃｏｌｕｍｎ１〜５）の５本の列を構成する。しかし、前記電極パッド１２１は、各行において、必ずしもすべての列に対応する位置に存在しているものでなく、また、各列において、必ずしもすべての行に対応する位置に存在しているものではない。換言すると、前記電極パッド１２１は第１〜第５行及び第１〜第５列から成る行列（Ｍａｔｒｉｘ）の成分の必ずしもすべてに対応するように配置されているものではない。ここでは、必要であれば、第ｉ行目における第ｊ列目の成分（ｉ，ｊ）に対応する位置に存在する電極パッド１２１を電極パッド１２１（ｉ、ｊ）と表記するものとする。
【００７０】
カード１０１がナノＳＩＭカード（ｎＳＩＭカード）等のように、小型薄肉化かつ多極化されたものである場合、多数の同じ形状及び大きさの電極パッド１２１を密に並べて、１〜２行程度の少数行を構成するようにカード１０１の下面に配置することは、困難であり、図９に示される例のように、複数種類の形状及び大きさの電極パッド１２１を多数行多数列の行列における成分のうちから選択されたいくつかに対応する位置にのみ配置する必要がある。
【００７１】
このような場合であっても、電子機器の回路基板の上面に露出する接続パッドの配置は、前記回路基板の配線の都合上、前記第１の実施の形態と同様であり、したがって、それに対応するコネクタ端子５１の配置も、前記第１の実施の形態と同様である。つまり、本実施の形態において、コネクタ１の構成は、前記第１の実施の形態と同様であるので、その説明を省略する。
【００７２】
本実施の形態におけるトレイ１７０は、トレイハウジング１７１の底壁部１７７に形成されたトレイ端子収容凹部１７８、及び、該トレイ端子収容凹部１７８内に収容されるトレイ端子１５１を除いて、前記第１の実施の形態と同様であるので、前記トレイ端子収容凹部１７８及びトレイ端子１５１以外のトレイ１７０の構成は、その説明を省略する。
【００７３】
本実施の形態におけるトレイ端子収容凹部１７８は、カード１０１の電極パッド１２１と同様に、５本の行及び５本の列を構成するように配置されているが、各行において、必ずしもすべての列に対応する位置に存在しているものでなく、また、各列において、必ずしもすべての行に対応する位置に存在しているものではない。換言すると、前記トレイ端子収容凹部１７８は、第１〜第５行及び第１〜第５列から成る行列の成分の必ずしもすべてではないが、電極パッド１２１に対応する成分には、配置されている。
【００７４】
また、本実施の形態におけるトレイ端子１５１は、その第２接触部１５４が、カード１０１の電極パッド１２１と同様に、５本の行及び５本の列を構成するように配置されているが、各行において、必ずしもすべての列に対応する位置に存在しているものでなく、また、各列において、必ずしもすべての行に対応する位置に存在しているものではない。換言すると、前記トレイ端子１５１の第２接触部１５４は、第１〜第５行及び第１〜第５列から成る行列の成分の必ずしもすべてではないが、電極パッド１２１に対応する成分には、配置されている。なお、トレイ端子１５１の第２接触部１５４のそれぞれは、対応するトレイ端子収容凹部１７８内に収容されている。
【００７５】
本実施の形態におけるトレイ端子１５１は、第１種トレイ端子１５１Ａと、第２種トレイ端子１５１Ｂとを含んでいる。前記第１種トレイ端子１５１Ａは、前記第１の実施の形態におけるトレイ端子１５１と構成自体は同様であるが、その姿勢が、前記第１の実施の形態におけるトレイ端子１５１と同様に、前後方向（トレイ１７０の挿入及び排出方向、すなわち、Ｘ軸方向）に延在するように制御されて配置された列方向トレイ端子１５１Ａ１と、その姿勢が左右方向（トレイ１７０の幅方向、すなわち、Ｙ軸方向）に延在するように制御されて配置された行方向トレイ端子１５１Ａ２とを含んでいる。
【００７６】
前記列方向トレイ端子１５１Ａ１は、平面視において、コネクタ端子５１に接触する第１接触部１５２と電極パッド１２１に接触する第２接触部１５４とを結ぶ本体部１５３が前後方向（前記行列の列方向）に延在するように配設されている。したがって、前記列方向トレイ端子１５１Ａ１は、トレイ１７０がコネクタ１に挿入された状態で、平面視において、前後方向に延在する直線に沿って位置するコネクタ端子５１と電極パッド１２１とを導通させる。
【００７７】
これに対し、前記行方向トレイ端子１５１Ａ２は、平面視において、コネクタ端子５１に接触する第１接触部１５２と電極パッド１２１に接触する第２接触部１５４とを結ぶ本体部１５３が左右方向（前記行列の行方向）に延在するように配設されている。したがって、前記行方向トレイ端子１５１Ａ２は、トレイ１７０がコネクタ１に挿入された状態で、平面視において、左右方向に延在する直線に沿って位置するコネクタ端子５１と電極パッド１２１とを導通させる。
【００７８】
一方、前記第２種トレイ端子１５１Ｂは、その本体部１５３が、前記第１の実施の形態におけるトレイ端子１５１及び第１種トレイ端子１５１Ａの本体部１５３のように平面視において直線的に延在するものでなく、前後方向に延在する部分と左右方向に延在する部分とを含んでいる。具体的には、第２種トレイ端子１５１Ｂの本体部１５３は、前後方向に延在する列方向部分１５３ｄと左右方向に延在する行方向部分１５３ｂとを含んでいる。なお、図に示される例においては、列方向部分１５３ｄが第１接触部１５２に接続され、行方向部分１５３ｂが第２接触部１５４に接続されているが、列方向部分１５３ｄが第２接触部１５４に接続され、行方向部分１５３ｂが第１接触部１５２に接続されるようにすることもできる。また、前記列方向部分１５３ｄと行方向部分１５３ｂとは、前後方向及び左右方向に対して交差する方向に延在する傾斜方向部分１５３ｃによって連結されている。なお、必要に応じて、前記列方向部分１５３ｄと行方向部分１５３ｂとを直接接続し、前記傾斜方向部分１５３ｃを省略することもできる。このように、前記第２種トレイ端子１５１Ｂは、列方向部分１５３ｄ及び行方向部分１５３ｂを含んでいるので、トレイ１７０がコネクタ１に挿入された状態で、平面視において、前後方向及び左右方向に関して、相違する位置にあるコネクタ端子５１と電極パッド１２１とを導通させる。
【００７９】
また、本実施の形態における保持部１６１は、図１０及び１１に示されるように、トレイ端子１５１と同様に、金属板に打抜き、曲げ等の加工を施して一体的に形成された部材であるが、必ずしもこれに限定されるものでなく、弾性変形が可能な部材であって、その一部が収容空間である凹部１７６内に突出し、収容されたカード１０１の側面を付勢して、カード１０１を保持し得るものであれば、いかなる種類のものであってもよい。
【００８０】
なお、本実施の形態におけるカード用コネクタセットのその他の点の構成及び動作については、前記第１の実施の形態と同様であるので、説明を省略する。
【００８１】
このように、本実施の形態においては、トレイ端子１５１は、平面視において、本体部１５３がトレイ１７０の挿入方向に延在するように配設されている列方向トレイ端子１５１Ａ１と、本体部１５３がトレイ１７０の挿入方向と直交する幅方向に延在するように配設されている行方向トレイ端子１５１Ａ２とを含んでいる。さらに、少なくとも１つのトレイ端子１５１は、平面視において、本体部１５３がトレイ１７０の挿入方向に延在するように配設される列方向部分１５３ｄと、本体部１５３がトレイ１７０の挿入方向と直交する幅方向に延在するように配設される行方向部分１５３ｂとを含んでいる。さらに、トレイ端子１５１は、列方向部分１５３ｄと行方向部分１５３ｂとを接続する傾斜方向部分１５３ｃを更に含んでいる。
【００８２】
これにより、複数種類の形状及び大きさの電極パッド１２１を多数行多数列の行列における成分のうちから選択されたいくつかに対応する位置にのみ配置されているカード１０１にも対応することができる。
【００８３】
なお、本発明は前記実施の形態に限定されるものではなく、本発明の趣旨に基づいて種々変形させることが可能であり、それらを本発明の範囲から排除するものではない。
【００８４】
本開示は一例にすぎず、本開示の主旨を保った適宜変更であって当業者が容易に想到し得るものは本開示の範囲に含まれる。図面で示す各部の幅、厚さ及び形状等は模式的に表されており、本開示の解釈を限定するものではない。
【産業上の利用可能性】
【００８５】
本開示は、カード保持部材及びカード用コネクタセットに適用することができる。
【符号の説明】
【００８６】
１    コネクタ
１１    ハウジング
１１ａ    奥壁部
１１ｂ、１７７    底壁部
１１ｃ    支軸
１１ｄ    側壁部
１１ｆ、１７１ｆ    前端面
１１ｇ    プッシュロッド保持部
１１ｈ    プッシュロッド収容溝
１１ｊ    端子支持部
１１ｋ    コネクタ端子収容凹部
１１ｒ、１７１ｒ    後端面
１２、１７６    凹部
２０    排出機構
２１    イジェクトレバー
２１ａ    作用点部
２１ｂ    力点部
２１ｃ    支点部
２２    プッシュロッド
２２ａ    操作部
２２ｂ    係合部
５１    コネクタ端子
５２    接続部
５３、１５３    本体部
５３ａ、１５３ａ    屈曲部
５４    接触部
５５    先端部
６１    コネクタカバー
６２    天板部
６３ａ    前板部
６３ｂ    側板部
７５、１６１    保持部
１０１、９０１    カード
１０１ｃ    切欠部
１２１    電極パッド
１５１    トレイ端子
１５１Ａ    第１種トレイ端子
１５１Ａ１    列方向トレイ端子
１５１Ａ２    行方向トレイ端子
１５１Ｂ    第２種トレイ端子
１５２    第１接触部
１５３ｂ    行方向部分
１５３ｃ    傾斜方向部分
１５３ｄ    列方向部分
１５４    第２接触部
１５４ａ    第１湾曲部
１５４ｂ    第２湾曲部
１５４ｃ    接点部
１５４ｄ    弾性変形部
１７０    トレイ
１７１    トレイハウジング
１７２    基部
１７２ａ    フランジ部
１７２ｂ    操作用挿通孔
１７３    枠部
１７３ａ    前枠部
１７３ｂ    後枠部
１７３ｃ    側枠部
１７６ｃ    極性付与凸部
１７７ａ    端子保持部
１７８    トレイ端子収容凹部
８１１    基板
８１８    カード収容空間
８６１    シェル
９５１    導電性部材
９７１    カード用トレイ
【図１】
2020170822.tif 000003
【図２】
2020170822.tif 000004
【図３】
2020170822.tif 000005
【図４】
2020170822.tif 000006
【図５】
2020170822.tif 000007
【図６】
2020170822.tif 000008
【図７】
2020170822.tif 000009
【図８】
2020170822.tif 000010
【図９】
2020170822.tif 000011
【図１０】
2020170822.tif 000012
【図１１】
2020170822.tif 000013
【図１２】
2020170822.tif 000014
【図１３】
2020170822.tif 000015
【国際調査報告】
2020170822.tif 000016
2020170822.tif 000017
2020170822.tif 000018
2020170822.tif 000019
2020170822.tif 000020